【事件の表示】
　特許第２８６４３０９号「高電圧トランス用のコア」の請求項１、２に係る特許に対する特許異議の申立てについて、次のとおり決定する。
【結　論】
　訂正を認める。
　特許第２８６４３０９号の請求項１に係る特許を維持する。
【理　由】
１．手続の経緯
　特許第２８６４３０９号の請求項１に係る発明は、平成４年３月１３日に特許出願され、平成１０年１２月１８日にその特許権の設定登録がなされ、その後佐伯正参より特許異議の申立がなされ、取消の理由が平成１２年６月１２日付けでなされ、その指定期間内である平成１２年８月２３日付けで訂正請求がなされ、さらに平成１３年２月１５日付で取消の理由が通知され、その指定期間内である平成１３年５月２日付けで平成１２年８月２３日付け訂正請求書の取り下げがなされるとともに訂正請求がなされたものである。
　
２．訂正の適否についての判断
（１）訂正の内容
ア．訂正事項ａ
　特許請求の範囲第１項の記載について「コイルが捲回される中央脚と、該中央脚とＴ字型に接続されたヨーク部と、該ヨーク部の両端部に配置され該端部から中央脚と平行に配置された２つの脇脚を有する高電圧トランス用のコアにおいて、前記ヨーク部の一面であって端子板と接する部分からヨーク部の端側壁に向かって傾斜する傾斜部を設けたヨーク部材を具備することを特徴とする高電圧トランス用のコア。」とあるのを「コイルが捲回される中央脚と、該中央脚とT字型に接続されたヨーク部と、該ヨーク部の両端部に配置され該端部から中央脚と平行に配置された２つの脇脚を有する高電圧トランス用のコアにおいて、前記ヨーク部の一面であって端子板と接する部分の一方の脇脚端面から他方の脇脚の端面に至るまでのヨーク部の全幅部分から前記端子板より外側に配置されたヨーク部端側壁の全幅部分に向かって前記端子板から離れる方向に傾斜する傾斜部を設け、該傾斜部の断面形状が円弧状からなるヨーク部材を具備することを特徴とする高電圧トランス用のコア。」と訂正する。
イ．訂正事項ｂ
　特許請求の範囲第２項を削除する。
ウ．訂正事項ｃ
　明細書の段落【０００７】の記載について、「前記ヨーク部の一面であって端子板と接する部分からヨーク部の端側壁に向かって傾斜する傾斜部を設けたヨーク部材」とあるのを、「前記ヨーク部の一面であって端子板と接する部分の一方の脇脚端面から他方の脇脚の端面に至るまでのヨーク部の全幅部分から前記端子板より外側に配置されたヨーク部端側壁の全幅部分に向かって前記端子板から離れる方向に傾斜する傾斜部を設け、該傾斜部の断面形状が円弧状からなるヨーク部材」と訂正する。
エ．訂正事項ｄ
　明細書の段落【００１０】と【００１１】の記載について、「斜面部」とあるのを「傾斜部」と訂正する。
　
（２）訂正の目的の適否、新規事項の有無及び拡張・変更の存否
　上記訂正事項ａは、発明を特定する事項である「傾斜部を設けたヨーク部材」をこれに含まれる事項である「傾斜部の断面形状が円弧状からなるヨーク部材」に変更し、しかもこの点については、願書に最初に添付した明細書の段落【００１１】に記載されているから、特許請求の範囲の減縮を目的とした明細書の訂正に該当し、また、上記訂正事項ｂは、請求の削除であって、特許請求の範囲の減縮を目的とした訂正に該当するのであり、訂正事項ｃ乃至ｄは、上記訂正事項ａと整合を図るものであるから、いずれも新規事項の追加に該当せず、実質的に特許請求の範囲を拡張又は変更するものではない。
　
（３）独立特許要件
（３−１）本願発明の要旨
　本願発明の要旨は、その特許請求の範囲の請求項１に記載されたとおりのもの（内容については、上記２−１−ア．に示したとおりである。以下、本願発明という。）であると認める。
（３−２）引用例
　これに対して、上記取消理由通知において示した引用例１乃至３は、下記のとおりである。
引用例１：実願昭５１?１２４６２８号（実開昭５３ー４２１２０号）のマイクロフィルム
引用例２：実願昭６１?４４７６号（実開昭６２ー１１６５１２号）のマイクロフィルム
引用例３：実願平２?４８７０号（実開平３ー９６０２２号）のマイクロフィルム
　引用例１には、「このような変成器１３では、端末配線部９が電気的になんら絶縁されないことから，磁心１１を介して漏れ電流が流れ、絶縁破壊を引き起こすことがある。」（第２頁第１０乃至１３行参照）と記載され、そして図面（特に、第１図、２図参照）を参酌して総合すると、コイルが捲回される中央脚と、該中央脚とＴ字型に接続されたヨーク部と、該ヨーク部の両端部に配置され該端部から中央脚と平行に配置された２つの脚部を有する高電圧トランス用のコアにおいて、前記ヨーク部の一面であって端子板（端子板相当部）と接する部分から前記端子板より外側に配置されたヨーク部端側壁に向かってヨーク部材を具備することを特徴とする高電圧トランス用のコア、が図示されるとともに記載されており、また同様なヨーク部材を具備するトランス用のコアの構成が引用例２にも図示されている。
　引用例３には、「本考案は、面実装型のトランス、・・・等のインダクタンス素子に関するものである。」（第１頁第１５乃至１６行参照）と記載され、「両端にフランジを有する筒状の本体と、該本体の両端に取付けられ取付面に対し平行に突出した端子ピンを有する端子部とからなるボビンと、該ボビンに巻回された巻線と、２個のフェライト磁心とからなるインダクタンス素子において、前記フェライト磁心の前記ボビンの端子ピンに向かう角に面取りが施されていることを特徴とするインダクタンス素子 。」（実用新案登録請求の範囲参照）なる事項が記載されている。
　同引用例には、第１図、第２図に関して、「このフェライト磁心１２には、端子ピン５に向かう角にテーパー状の面取り１３が形成されている。」（第４頁第１乃至３行参照）、「この実施例において、面取りの寸法を変えたときの耐電圧を第１表に示す。・・・（第１表）・・・耐電圧を改善できることがわかる。」（第４頁第７乃至同頁下第３行参照）とそれぞれ記載されており、また第３図、第４図にも同様の面取り１６、２１を施した例が示されている。
（３−３）対比・判断
　本願発明と引用例１乃至３に記載の発明とを対比すると、各引用例に記載の発明には、本願発明を特定する事項である「傾斜部の断面形状が円弧状からなるヨーク部材」を備えておらず、当該事項により本願発明は、「コアや端子板を従来のものより大きく形成する必要はなく、従来と同じ沿面距離をコアとピンの間に確保することができる。また、ヨーク部の幅方向の長さを従来のものよりも長くとれるので、脇脚の先端が互いに近づいたり離れたりする、音叉運動の方向に応力を受けても、斜面部のために、折損を起こすようなことはない。」という顕著な効果を奏するものであり、本願発明が引用例１乃至３に記載のものから容易に発明をすることができたものとはいえない。
　したがって、本訂正は、訂正後における特許請求の範囲に記載されている事項により特定される発明が特許出願の際独立して特許を受けることができるものである。
　
（４）むすび
　以上のとおりであるから、本訂正は、特許法第１２０条の４第２項及び同条第３項の規定により準用する第百１２６条第２乃至４項の規定に適合するので、当該訂正を認める。
　
３．特許異議申立についての判断
（１）申立の理由の概要
　申立人佐伯正参は、請求項１に係る発明は、甲第１号証（実願平２?４８７０号（実開平３ー９６０２２号）のマイクロフィルム、以下、引用例という。）に記載された発明である、若しくは引用例に記載された事項から容易に発明をすることができたものであり、特許法第２９条第１項第３号若しくは同条第２項の規定により、特許を受けることができないものであるから、特許を取り消すべきと主張している。
　
（２）本件の請求項１に係る発明（以下、本願発明という。）
　上記２．で示したように上記訂正が認められるから、本願発明は、上記訂正請求に係る訂正明細書の特許請求の範囲第１項に記載された事項により特定されるとおりのものである。
　
（３）引用例
　特許異議申立人が証拠として提出した引用例には、以下のような点が記載されている。
  ａ．本考案は、面実装型のトランス、・・・等のインダクタンス素子に関するものである。（第１頁第１５乃至１６行参照）
　ｂ．両端にフランジを有する筒状の本体と、該本体の両端に取付けられ取付面に対し平行に突出した端子ピンを有する端子部とからなるボビンと、該ボビンに巻回された巻線と、２個のフェライト磁心とからなるインダクタンス素子において、前記フェライト磁心の前記ボビンの端子ピンに向かう角に面取りが施されていることを特徴とするインダクタンス素子 。（実用新案登録請求の範囲参照）
　ｃ．第１図、第２図に関して、「このフェライト磁心１２には、端子ピン５に向かう角にテーパー状の面取り１３が形成されている。」（第４頁第１乃至３行参照）
　ｄ．この実施例において、面取りの寸法を変えたときの耐電圧を第１表に示す。・・・（第１表）・・・耐電圧を改善できることがわかる。（第４頁第７乃至同頁下第３行参照）
　ｅ．また第３図、第４図にも同様の面取り１６、２１を施した例が示されている。
　
（４）対比・判断
　本願発明と引用例に記載の発明とを対比すると、引用例に記載の発明には、本願発明を特定する事項である「傾斜部の断面形状が円弧状からなるヨーク部材」を備えておらず、当該事項により本願発明は、「コアや端子板を従来のものより大きく形成する必要はなく、従来と同じ沿面距離をコアとピンの間に確保することができる。また、ヨーク部の幅方向の長さを従来のものよりも長くとれるので、脇脚の先端が互いに近づいたり離れたりする、音叉運動の方向に応力を受けても、斜面部のために、折損を起こすようなことはない。」という顕著な効果を奏するものであり、本願発明が引用例に記載されたものであるとも、同記載のものから容易に発明をすることができたものとはいえない。
　
（５）むすび
　以上のとおりであるから、特許異議申立人の理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１３年６月１２日（２００１．６．１２）
【訂正の要旨】
　（１）訂正の内容
ア．訂正事項ａ
　特許請求の範囲第１項の記載について「コイルが捲回される中央脚と、該中央脚とＴ字型に接続されたヨーク部と、該ヨーク部の両端部に配置され該端部から中央脚と平行に配置された２つの脇脚を有する高電圧トランス用のコアにおいて、前記ヨーク部の一面であって端子板と接する部分からヨーク部の端側壁に向かって傾斜する傾斜部を設けたヨーク部材を具備することを特徴とする高電圧トランス用のコア。」とあるのを「コイルが捲回される中央脚と、該中央脚とＴ字型に接続されたヨーク部と、該ヨーク部の両端部に配置され該端部から中央脚と平行に配置された２つの脇脚を有する高電圧トランス用のコアにおいて、前記ヨーク部の一面であって端子板と接する部分の一方の脇脚端面から他方の脇脚の端面に至るまでのヨーク部の全幅部分から前記端子板より外側に配置されたヨーク部端側壁の全幅部分に向かって前記端子板から離れる方向に傾斜する傾斜部を設け、該傾斜部の断面形状が円弧状からなるヨーク部材を具備することを特徴とする高電圧トランス用のコア。」と訂正する。
イ．訂正事項ｂ
　特許請求の範囲第２項を削除する。
ウ．訂正事項ｃ
　明細書の段落【０００７】の記載について、「前記ヨーク部の一面であって端子板と接する部分からヨーク部の端側壁に向かって傾斜する傾斜部を設けたヨーク部材」とあるのを、「前記ヨーク部の一面であって端子板と接する部分の一方の脇脚端面から他方の脇脚の端面に至るまでのヨーク部の全幅部分から前記端子板より外側に配置されたヨーク部端側壁の全幅部分に向かって前記端子板から離れる方向に傾斜する傾斜部を設け、該傾斜部の断面形状が円弧状からなるヨーク部材」と訂正する。
エ．訂正事項ｄ
　明細書の段落【００１０】と【００１１】の記載について、「斜面部」とあるのを「傾斜部」と訂正する。
（５４）【発明の名称】
高電圧トランス用のコア
（５７）【特許請求の範囲】
　【請求項１】コイルが捲回される中央脚と、該中央脚とＴ字型に接続されたヨーク部と、該ヨーク部の両端部に配置され該端部から中央脚と平行に配置された２つの脇脚を有する高電圧トランス用のコアにおいて、前記ヨーク部の一面であって端子板と接する部分
の一方の脇脚端面から他方の脇脚の端面に至るまでのヨーク部の全幅部分
の全幅部分
前記端子板から離れる方向に
、該傾斜部の断面形状が円弧状からなる
【発明の詳細な説明】
　【０００１】
　【産業上の利用分野】　本発明は、高電圧トランス用のコアに関し、特に耐電圧を向上せしめた高電圧トランス用のコアに関する。
　【０００２】
　【従来の技術】
　従来から磁性粉末を焼成して形成したコアが増幅器の段間結合用トランスやスピーカトランスなどに使用されていたが、最近、電子機器の発展に伴い、前記コアの使用範囲も広がり、コンピュータやその端末装置を始めとして家庭電化製品の範囲に迄広がっている。また、該コアが使用される機器が小型化或いは扁平化の傾向をたどっているので、磁性粉末を焼成して形成したコアを使用したトランスの形状も扁平化の道をたどっている。
　【０００３】
　図８乃至図１０は、従来のトランス用Ｅ型形状のフェライトコアとボビンとこれらを使用して組み立てたトランスを示す斜視図である。図８において、１はＥ型コアである。該Ｅ型コア１は、中央に扁平の断面を持ち、コイルが捲回される中央脚２が配置され、その両脇には脇脚３と４が配設されており、これら３本の脚の根元は該中央脚２とＴ字型に接続されたヨーク部５によって接続されている。
　【０００４】
　図９において、６はボビン本体であり、その両脇には、枠板７及び８が設けられている。それぞれの枠板７、８の下面には、端子板９、１０が設けられており、それら端子板９、１０にはコイルの導線を接続するピン１１、１２が取付けられている。なお、ボビン本体６の中心部には、貫通孔１３が設けられている。このトランスの組み立てを説明すると、まず、ボビン本体６に所定の捲線を施し、それの端末部をそれぞれのピン１２に捲回接続した後、Ｅ型コア１を２個用意し、それぞれの中央脚２をボビン本体６の貫通孔１３の両端から挿入して、トランスを組み立てる。図１０は、組み立てを終了したトランスを示す斜視図である。なお図１０において、１４はボビン本体６に捲回されたコイルを示す。
　【０００５】
　【発明が解決しようとする課題】
　上記のトランスを、たとえば写真撮影用の閃光放電発光器に使用する場合、トランスの２次側電圧は千ボルトの単位に迄上昇する。このため、ピン１１、１２とコア１間の耐電圧ＰＶを向上させるため、ボビン本体の両端に設けられた端子板９、１０の長手方向の長さを大きくして、所望の耐電圧ＰＶを得ていた。このため、高電圧トランスの長手方向の長さが長くなり、高電圧トランスを小型化するという目的に対して反対の動きとなるという不都合が生じていた。
　【０００６】
　そこで本発明は、可及的にコアを小型化するとともに、ピンとコア間の所定の耐電圧が得られるような高電圧トランス用のコアを提供することを発明の目的とする。
　【０００７】
　【課題を解決するための手段】
　上記のような本発明の目的を達成するために、本発明は、コイルが捲回される中央脚と、該中央脚とＴ字型に接続されたヨーク部と、該ヨーク部の両端部に配置され該端部から中央脚と平行に配置された２つの脇脚を有する高電圧トランス用のコアにおいて、前記ヨーク部の一面であって端子板と接する部分
の一方の脇脚端面から他方の脇脚の端面に至るまでのヨーク部の全幅部分
の全幅部分
前記端子板から離れる方向に
、該傾斜部の断面形状が円弧状からなる
　【０００８】
　【作用】
　ヨーク部の一面であって端子板と接する部分からヨーク部の端側壁に向かって傾斜する傾斜部を設け、コアとピンとの間の沿面距離を十分に確保する。また、該傾斜部がコアの補強部材にもなる。
　【０００９】
　【実施例】
　次に本発明の一実施例を、図面を用いて詳細に説明する。
　図１は、本発明にかかる高電圧トランス用のコアの一実施例を示す斜視図である。図１及び図２において、２０はＥ型コアを示す。該Ｅ型コア２０は、中央に扁平の断面を持った中央脚２１を持ち、その両脇には脇脚２２と２３が配設されており、これら３本の脚の根元は、ヨーク部２４によって接続されている。図２にも示したようにヨーク部２４の端側壁２６の途中から端子板９、１０と接する下面に向かって、斜めに傾斜している
傾斜部
　【００１０】
　図２から明確に分かるように、高電圧トランスのピン１１、１２からコア２０迄の沿面距離（ＳＬ１＋ＳＬ２）は図１０に示す従来型の高電圧トランスのそれと同じであるが、ヨーク部２４に
傾斜部
傾斜部
　【００１１】
　図４及び図５は他の実施例を示すヨーク部の部分断面図である。図４に示す実施例では、
傾斜部
傾斜部
傾斜部
傾斜部
　【００１２】
　図３に示す高電圧トランスは、ピン１１、１２が端子板９、１０の下面よりも上に位置しているので、これをプリント配線基板に実装するとき、該プリント配線基板には端子板がはまりこむための四角形の穴をあけ、ピン１１、１２がプリント配線基板上の配線銅箔と同一の高さにしなければならない。そこで、本発明では、図６に示すように、ピン１５、１６を段型に折曲せしめ、プリント配線基板の配線銅箔と接続する部分を端子板の底面と同一平面に保持させると良い。
　【００１３】
　また、端子板に設けられたピンの数が少なく、かつこれらが端子板の中央部に設けられているときには、図７に示すように、傾斜部６１は中央部分だけ設けておき、端面には補強部６２、６３を残しておく。このように補強部６２、６３を残しておけば、脇脚に応力が加わったとき、上記の実施例よりも破損を受ける確率が少ない。
　【００１４】
　【発明の効果】
　以上詳細に説明したように、本発明は、ヨーク部の一面であって端子板と接する部分からヨーク部の端側壁に向かって傾斜する傾斜部を設けたので、コアや端子板を従来のものより大きく形成する必要はなく、従来と同じ沿面距離をコアとピンの間に確保することができる。
　【００１５】
　また、ヨーク部の幅方向の長さを従来のものよりも長くとれるので、脇脚の先端が互いに近づいたり離れたりする、音叉運動の方向に応力を受けても、
傾斜部
【図面の簡単な説明】
　【図１】
　本発明に係るコアの斜視図
　【図２】
　コアの部分断面図
　【図３】
　本発明に係るコアを用いた高電圧トランスの斜視図
　【図４】
　本発明の他の実施例を示す斜視図
　【図５】
　本発明の他の実施例を示す斜視図
　【図６】
　端子板の改良された具体例を示す部分断面図
　【図７】
　本発明の他の実施例を示す斜視図
　【図８】
　従来のコアを示す斜視図
　【図９】
　高電圧トランス用のボビンを示す斜視図
　【図１０】
　従来の高電圧トランス示す斜視図
　【符号の説明】
２０・・・Ｅ型コア
２１・・・中央脚
２２・・・脇脚
２３・・・脇脚
２４・・・ヨーク部
２５・・・傾斜部
２６・・・端側壁